(57)【特許請求の範囲】
【請求項１】
玄関ホールの上がり床部における上り框側に、座板を上面に有するベンチ本体を設け、前記ベンチ本体が上がり床部の床面より上方に開口した固定ケースと、この固定ケースに略沿って昇降する昇降ケースとで構成されていて、少なくとも座板を昇降自在に形成して成る玄関用昇降ベンチにおいて、前記ベンチ本体が近接する壁面に手すりを設け、固定ケース下方に座板を電動で昇降させる昇降機を設け、前記昇降機の操作スイッチを前記手すりに設けて成ることを特徴とする玄関用昇降ベンチ。
【発明の詳細な説明】
【０００１】
【発明の属する技術分野】
本発明は玄関ホールの土間と上がり床部との間の昇降を楽に行うことができる玄関用昇降ベンチに関する。
【０００２】
【従来の技術】
従来より玄関ホールにベンチを設けて、玄関ホールの土間４と上がり床部１との間の出入りを楽に行うようにすることが行われている。たとえば、特開平７−１３９１９５号公報には、図３に示すようなベンチが開示されている。このベンチは、図に示すように、玄関ホールの土間４側の上がり床部１に設けられるとともに、その座面１１が上がり床部１の床面より高く形成されているものである。また、このベンチが設けられる位置は、土間４が上がり床部１側に突出している位置になっている。
【０００３】
したがって、上がり床部１側または土間４側のいずれからもベンチに腰を下ろすことができるとともに、このように腰を下ろした状態で方向転換しやすいので、土間４と上がり床部１との間の出入りを、比較的楽に行うことができるようになっている。
【０００４】
【発明が解決しようとする課題】
しかしながら、上記の従来例にあっては、方向転換ができるとはいうものの、この方向転換を自力で行う必要があるとともに、ベンチに腰を下ろした状態では土間４が低い位置にあり、上がり床部１の床面はやや高い位置にあるため、高齢者や体の不自由な人のように、足腰が弱い人には負担になって、土間４と上がり床部１との間の出入りが十分に楽になっているとは言いにくいものである。
【０００５】
本発明は、以上のような問題点を解決するためになされたものであり、その目的は、高齢者や体の不自由な人にとっても、玄関ホールの土間と上がり床部との間の出入りを、十分に楽に行うことができる玄関用昇降ベンチの提供にある。
【０００６】
【課題を解決するための手段】
上記課題を解決する請求項１記載の発明は、玄関ホールの上がり床部１における上り框１ａ側に、座板２を上面に有するベンチ本体３を設け、ベンチ本体３が上がり床部１の床面より上方に開口した固定ケース３ａと、この固定ケース３ａに略沿って昇降する昇降ケース３ｂとで構成されていて、少なくとも座板２を昇降自在に形成して成る玄関用昇降ベンチにおいて、ベンチ本体３が近接する壁面に手すり６を設け、固定ケース３ａ下方に座板２を電動で昇降させる昇降機７を設け、昇降機７の操作スイッチ７ａを手すり６に設けて成ることを特徴として構成している。
【０００７】
このような玄関用昇降ベンチでは、たとえば、座板２が低い位置にある状態として、玄関ホールの土間４から腰を下ろして履き物を脱いだ後、座板２を上昇させるとともに、上がり床部１側に方向転換して屋内に楽に入ることができる。また、逆に座板２が高い位置にある状態から低い状態にすることによって、上がり床部１から土間４に下りやすくなっている。また、座板２を高く移動させることによって、足腰に力をそれ程かけずに、座板２から立ち上がることができる。また、手すり６を利用して、座板２に腰を下ろしたり、立ち上がったりすることができるとともに、手すり６につかまりながら、操作スイッチ７ａによって、座板２の昇降操作を行うことができる。
【０００８】
ここで、請求項１記載の発明において、上がり床部１床面より上方に開口した固定ケース３ａと、この固定ケース３ａに略沿って昇降する昇降ケース３ｂとでベンチ本体３を形成し、昇降ケース３ｂ上面に座板２を設け、この座板２を開閉自在として成るように構成してもよい。
【０００９】
このような玄関用昇降ベンチでは、座板２を開閉蓋として使用して、ベンチ本体３内部に物品を収納することができる。
【００１０】
また、請求項１記載の発明において、座板２の一端部を玄関ホールの土間４側に延設させて延設部２ａとし、この延設部２ａを上がり床部１と土間４との間に水平回転自在に形成して成るように構成してもよい。
【００１１】
このような玄関用昇降ベンチでは、座板２を回転させることによって、延設部２ａを上がり床部１側または玄関ホールの土間４側に向けることができる。つまり、腰を下ろした状態で、自力で体の向きを座板２に変える必要がなくなっている。
【００１４】
【発明の実施の形態】
本発明の一実施の形態を図１および図２を参照して以下に説明する。
【００１５】
図１はこの実施の形態の玄関用昇降ベンチを示す斜視図であり、図２は同玄関用昇降ベンチの使用状態を示す断面図である。
【００１６】
図１および図２において、１は玄関ホールの上がり床部１であり、この上がり床部１の土間４側の先端部には上り框１ａが設けられている。また、３はベンチ本体であって、このベンチ本体３は、上がり床部１床面より上方に開口した断面略長方形の固定ケース３ａと、この固定ケース３ａの内側に略沿って昇降する断面略長方形の昇降ケース３ｂとより構成されている。この場合、ベンチ本体３は玄関ホールの壁５側に設けられている。より具体的には、ベンチ本体３は上がり床部１の床面に開口させて、この床面下方に設けられている。また、その設けられる位置は、上がり框１ａと壁５とが形成する角部であって、ベンチ本体３の直交する二辺は、それぞれ上がり框１ａと壁５とに隣接させられている。
【００１７】
また、このベンチ本体３の近接する壁面には、腰を下ろしたり立ち上がるときに使用できる手すり６が設けられている。さらに、固定ケース３ａ下方部に座板２を電動で昇降させる昇降機７が設けられ、この昇降機７の操作スイッチ７ａは前記手すり６に設けられている。
【００１８】
また、座板２は昇降ケース３ｂ上面に設けられており、この座板２は一端を昇降ケース３ｂに枢着されて、開閉自在に取り付けられている。つまり、図１において、想像線で示すように、この座板２を開いて、内部に靴などの物品を収納することができるように形成されている。
【００１９】
また、座板２は土間４側の端部を土間４側に延設した延設部２ａとして形成されている。
【００２０】
以上のように構成されるこの玄関用昇降ベンチによれば、少なくとも座板２を昇降自在に形成しているので、以下の利点がある。
【００２１】
すなわち、座板２を昇降させることによって、玄関ホールの土間４と、上がり床部１の床面との間の段差を苦にすることなく出入りすることができるのである。このため、健常者のみならず、高齢者や体の不自由な人であっても、玄関ホールの土間４と上がり床部１との間の出入りを、十分に楽に安全に行うことができるものになっている。
【００２２】
つまり、図２に示すように、たとえば土間４から上がり床部１に上がる場合には、座板２が低い位置ある状態とし、玄関ホールの土間４から腰を下ろして、履き物を脱ぐことができる。そして、手すり６の操作スイッチ７ａを操作して、座板２を上昇させるとともに、上がり床部１側に体の向きを変えて上がり床部１に立ち上がることができる。このとき、座板２を高く上昇させることによって、足腰に力をそれ程かけずに、この玄関昇降用ベンチから楽に立ち上がることができる。また、逆に座板２を高い位置にある状態から低くすることによって、上がり床部１から土間４に下りやすくなっているのである。
【００２３】
また、座板２が開閉自在になっているので、この座板２を開閉蓋として使用して、ベンチ本体３内部に脱いだ靴などの物品を収納することができ、玄関ホールを広く使用することができるものになっている。
【００２４】
また、手すり６を利用して、座板２に腰を下ろしたり、立ち上がったりすることができて、安全にこの玄関用昇降ベンチを使用できるものであり、さらに、手すり６につかまりながら、操作スイッチ７ａを操作することによって、座板２の昇降操作を簡単確実に行うことができる。
【００２５】
また、上記のように、座板２を開閉自在とする構成に代えて、回転自在とするものも好ましい形態の一つである。つまり、延設部２ａを上がり床部１と土間４との間に水平回転自在に形成するのである。たとえば、前述した昇降ケース３ｂを、固定ケース３ａ内で伸縮する昇降バーとして形成し、この昇降バー上端に回転自在に座板２を取り付けるなどして構成するとよいのである。
【００２６】
このような構成によれば、座板２を回転させることによって、延設部２ａを上がり床部１側または土間４側に向けることができる。つまり、腰を下ろした状態で、上がり床部１側または土間４側に体の向きを変えることができるので、自分の体を自力で動かすことによって、体の向きを変える必要がなく、方向転換動作を特に容易に行えるようになっているのである。
【００２７】
【発明の効果】
請求項１記載の発明では、座板を昇降させることによって、玄関ホールの土間と、上がり床部の床面との間の段差を苦にすることなく出入りすることができる。したがって、高齢者や体の不自由な人であっても、玄関ホールの土間と上がり床部との間の出入りを、十分に楽に安全に行うことができる。
【００２８】
また、座板を開閉蓋として使用して、ベンチ本体内部に履き物などの物品を収納することができ、玄関ホールを広く使うことができる。
【００２９】
また、座板に腰を下ろした状態で、この座板を回転させることによって、腰を下ろした状態で上がり床部側または土間側に体の向きを変えることができる。つまり、自分の体を自力で動かして体の向きを変える必要がなくて、方向転換動作を容易に行うことができる。
【００３０】
また、手すりを利用して、座板に腰を下ろしたり、立ち上がったりすることができるとともに、手すりにつかまりながら、操作スイッチによって、座板の昇降操作を行うことができる。したがって、手すりを用いて安全にこの玄関用昇降ベンチを使用することができるとともに、座板の昇降操作が容易になる。
【図面の簡単な説明】
【図１】本発明の一実施の形態の玄関用昇降ベンチを示す斜視図である。
【図２】同上の玄関用昇降ベンチの使用状態を示す断面図である。
【図３】従来例を示す斜視図である。
【符号の説明】
１  上がり床部
１ａ  上がり框部
２  座板
２ａ  延設部
３  ベンチ本体
３ａ  固定ケース
３ｂ  昇降ケース
４  土間
５  壁
６  手すり
７  昇降機
７ａ  操作スイッチ
11  座面
【図１】
0003584683.tif 000002
【図２】
0003584683.tif 000003
【図３】
0003584683.tif 000004